(57)【特許請求の範囲】
【請求項１】
開口部を有するかごと、
ワイヤーロープが巻き掛けられるシーブと、
前記シーブを駆動させるモータを有する巻上機と、を備え、
前記モータは、前記昇降路の頂部に設置され、
前記かごが昇降路の頂部にある時、前記シーブが前記かごの側面と昇降路壁との間にあって、
前記開口部は、前記かごの側面の一部と天井面の一部とを一体的に開口するものであることを特徴とする機械室レスエレベーター。
【請求項２】
前記ワイヤーロープの異なる端部に、それぞれ前記かごと釣合い錘とが固定されていることを特徴とする請求項１に記載の機械室レスエレベーター。
【請求項３】
前記ワイヤーロープは、
その両端がそれぞれ前記昇降路内に固定され、
前記かごのプーリと、前記釣合い錘のプーリとに、それぞれ巻き掛けられ、かつ、
前記かごのプーリと前記釣合い錘のプーリとの間で、前記シーブに巻き掛けられていることを特徴とする請求項１に記載の機械室レスエレベーター。
【請求項４】
前記かごを、前記昇降路内に固定する固定装置を備え、
前記固定装置は、前記かご内から操作できることを特徴とする請求項１から３のいずれか１項に記載の機械室レスエレベーター。
【請求項５】
前記モータの駆動力をベルトによって前記シーブに減速伝達することを特徴とする請求項１から４のいずれか１項に記載の機械室レスエレベーター。
【発明の詳細な説明】
技術分野
本発明は、機械室レスエレベーターに関するものである。
背景技術
機械室レスエレベーターの例としては、昇降路の頂部に巻上機を設置し、保守点検を保守員がかごの上に乗って実施するというものが一般的であった。そしてまた、保守点検時に、かご上から保守員が昇降路内に転落しないように、かご上に手すりを設けるのが一般的であった。
以上のように、従来の機械室レスエレベーターでは、このようにかごの上に手すりを設けたり、昇降路の頂部に設けられた巻上機によって、エレベーターの頂部寸法が決められてしまい、エレベーターの設置スペースを小さくすることや、建物スペースを有効に活用することが制限されるという問題点があった。
発明の開示
本発明は、このような問題点を解決するためになされたものであり、エレベーターの頂部寸法の小さな機械室レスエレベーターを得ることを目的とするものである。
この目的を達成するために、この発明に係る機械室レスエレベーターは、壁に開口部を有するかごと、かごと釣り合い錘とがそれぞれ異なる端に固定されたワイヤーロープが巻き掛けられるシーブ、及びシーブを駆動させるモータを有する巻上機とを備え、かごが昇降路の頂部にある時、シーブがかごと昇降路壁との間に設けられ、かご内から開口部を介してシーブが点検できるものである。
また、この発明に係る機械室レスエレベーターは、壁に開口部を有するかごと、昇降路内でその両端が固定され、かご及び釣り合い錘に設けられたプーリに巻き掛けられるワイヤーロープと、両プーリの間でワイヤーロープが巻き掛けられるシーブ、及びシーブを駆動させるモータを有する巻上機とを備え、かごが昇降路の頂部にある時、シーブがかごと昇降路壁との間に設けられ、かご内から開口部を介してシーブが点検できるものである。
さらに、この発明に係る機械室レスエレベーターは、かごが昇降路の頂部にある時、モータがかごと昇降路壁との間に設置され、かご内から開口部を介してモータを点検するものである。
また、この発明に係る機械室レスエレベーターのかごは天井に開口部を有するものである。
さらに、この発明に係る機械室レスエレベーターは、かごを昇降路内に固定する固定装置を設け、固定装置はかご内から操作するものである。
また、この発明に係る機械室レスエレベーターは、モータの駆動力をベルトによってシーブに減速伝達するものである。
さらに、この発明に係る機械室レスエレベーターは、壁に開口部を有するかごと、かごと釣り合い錘とがそれぞれ異なる端に固定されたワイヤーロープが巻き掛けられるシーブ、及びシーブを駆動させるモータを有する巻上機とを備え、かごが昇降路の頂部にある時、巻上機がかごと昇降路壁との間に設けられ、かごの床はかごの外で巻上機側に延長され、開口部を介した床で巻上機が点検できるものである。
また、この発明に係る機械室レスエレベーターは、壁に開口部を有するかごと、昇降路内でその両端が固定され、かご及び釣り合い錘に設けられたプーリに巻き掛けられるワイヤーロープと、両プーリの間でワイヤーロープが巻き掛けられるシーブ、及びシーブを駆動させるモータを有する巻上機とを備え、かごが昇降路の頂部にある時、巻上機がかごと昇降路壁との間に設けられ、かごの床はかごの外で巻上機側に延長され、開口部を介した床で巻上機が点検できるものである。
発明を実施するための最良の形態
次に、本発明について、以下の通り、実施例を説明する。
実施例１．
本発明による機械室レスエレベーターの一実施例について、図１を用いて説明する。図１は、本発明の実施例１の機械室レスエレベーターの断面を示す断面図である。
図１において、１０はエレベーターの昇降路である。１１は昇降路１０内にあるエレベーターのかごである。１２は開口部であり、かご１１内の壁面や天井面に設けられる。この開口部１２は、かご内の壁面の一部及び天井面の一部が一体的にかご内に引き開けるもの、また、壁面の一部と天井面の一部とを別々にかご内に引き開けられるものがある。１３はスイッチであり、開口部１２が開けられた時にエレベーターの運転を制御する。１４はモータであり、昇降路１０の頂部に設けられる。１５はシーブであり、昇降路１０の頂部壁面側に設けられ、かご１１が昇降路頂部にある時、昇降路壁とかご１１との間に設置される。１６はベルトであり、モータ１４の駆動力をシーブ１５に減速伝達する。１７は巻上機であり、モータ１４、シーブ１５、及びベルト１６から構成される。１８はワイヤーロープであり、シーブ１５に巻き掛けられ、一端はかご１１に固定され、もう一端は釣り合い錘１９に固定される。２０はかごガイドレールである。２１は釣り合い錘ガイドレールである。シーブ１５は、この釣り合い錘ガイドレール２１の上方に設置される。
また、図１に示す機械室レスエレベーターのＩＩ−ＩＩ断面図を図２に示す。なお、図２において、図１に示すものと同一又は相当の部分には同一符号を付してその説明を省略した。
また、図１に示す機械室レスエレベーターのＩＩＩ−ＩＩＩ断面図を図３に示す。
図３において、３０はかご固定装置である。本実施例のかご固定装置３０としては、かごガイドレール２０に取り付けられた板を、かご内から係止棒を用いて操作して、かご１１を固定するものである。なお、かご固定装置３０としては、この例にとらわれるものではない。このような、かご固定装置３０は、保守作業時等、かご１１を固定させる必要のある場合に用いられる。
なお、図３において、図１に示すものと同一又は相当の部分には同一符号を付してその説明を省略し、図１と相違する部分について説明した。
このように、かご１１の壁面等に開口部１２を設けたことにより、また、保守作業の必要性の高い巻上機１７のシーブ１５等をかご１１と昇降路壁との間に設けたことにより、このシーブ１５等をかご内からの簡単に保守することができる。なお、かご内からシーブ１５等を保守点検する際には、かごは最上階にあっても、また最上階から少し上方又は少し下方にあってもよい。これら最上階近傍を昇降路の頂部とする。なお、最上階の近傍にかごを移動させるのは、スイッチ等を用いた所定の操作によるものとする。
また、開口部１２を介してかご１１の側面に設けられたシーブ１５等をかご室内から簡単に保守できることから、かご内に踏み台等を用いることなく、直接足を床につけたまま安全に保守を実行することができる。
さらに、かご室内から保守ができることから、かご上に登って保守点検を行う必要がなくなり、かご上に設けられていた手すりを取り外すことができる。
また、かご上に設けられていた手すりを取り外すことができるため、エレベーターの頂部寸法を抑制することができる。
また、巻上機１７のシーブ１５や減速機部分をかご１１と昇降路壁との間に設置することができることから、昇降路頂部でかご上にくる部品を最小限に抑えることができ、エレベーターの頂部寸法を小さくすることができる。
これら、エレベーターの頂部寸法を抑制する方法は、安価に実現できるものである。
また、巻上機１７のシーブ１５やモータ１４を薄型化できると、本実施例のようなレイアウトによって、エレベーターの設置スペースをさらに小型化させることができ、建物スペースを一層有効的に活用することができる。
実施例２．
本発明による機械室レスエレベーターの他の実施例について、図４を用いて説明する。図４は、本発明の実施例２の機械室レスエレベーターの断面を示す断面図である。
図４において、４０はかご側ワイヤーロープ固定部であり、昇降路１０に設けられ、ワイヤーロープ１８の一端が固定される。４１はかご転向プーリであり、かご１１の下に設けられる。４２は釣り合い錘転向プーリであり、釣り合い錘１９の上に設けられる。４３は釣り合い錘側ワイヤーロープ固定部であり、釣り合い錘ガイドレール２１や昇降路１０に設けられ、ワイヤーロープ１８の他端が固定される。
このように、本実施例の機械室レスエレベーターにおいて、ワイヤーロープ１８は、一端がかご側ワイヤーロープ固定部４０に固定され、かご転向プーリ４１、シーブ１５、及び釣り合い錘転向プーリ４２を経て、もう一端が釣り合い錘側ワイヤーロープ固定部４３に固定されるようになっている。このような構成を、２：１ローピング構成という。
なお、図４において、図１に示す実施例１と同一又は相当の部分には同一符号を付してその説明を省略し、図１と相違する部分について説明した。
また、図４に示す機械室レスエレベーターのＶ−Ｖ断面図を図５に示す。なお、図５において、図４に示すものと同一又は相当の部分には同一符号を付してその説明を省略した。
このように、２：１ローピング構成を用いることによって、巻上機１７への荷重を半分にすることができ、モータ等の小型化が実現できる。このため、本実施例の巻上機１７のレイアウトによって、エレベーターの頂部寸法を抑えることができる。
また、かご１１の壁面等に開口部１２を設けたので、昇降路壁とかご１１との間に設けたシーブ１５等の保守が簡単かつ安全に実施できる。
さらに、かご１１の上に登って保守点検を行う必要がなくなるから、かご上に設けられている手すりを取り外し、エレベーターの頂部寸法を抑制することができる。
実施例３．
本発明による機械室レスエレベーターの他の実施例について、図６を用いて説明する。図６は、本発明の実施例３の機械室レスエレベーターの断面を示す断面図である。
図６において、５０はかご床である。５１は手すりであり、かご１１の外側に伸延したかご床５０上に設けられる。この手すり５１は、保守員のかご床５０での作業を安全にするためのものである。５２はかご１１の壁面に設けられた戸びら（開口部）であり、この戸びら５２を開くことにより、かご１１の外に伸びたかご床５０に出ることができる。５３はスイッチであり、戸びら５２が開けられるとエレベーターの運転が制御される。
５４は昇降路壁に設けられた制御装置である。
このように、本実施例の機械室レスエレベーターは、昇降路１０の頂部壁側で、かご１１の外側に伸びたかご床５０の上方に、巻上機のシーブやモータ等を設置するようにしたものであり、昇降路１０の天井とかご１１の天井との間には何も設置されない。このため、保守員は、かご壁の戸びら５２を開いてかご室外に延長されたかご床上で、巻上機１７のシーブ１５やモータ１４等を保守点検する。
なお、図６において、図１に示す実施例１と同一又は相当の部分には同一符号を付してその説明を省略し、図１と相違する部分について説明した。
また、図６に示す機械室レスエレベーターのＶＩＩ−ＶＩＩ断面図を図７に示す。なお、図７において、図６に示すものと同一又は相当の部分には同一符号を付してその説明を省略した。
このように、保守員がかご室の外で保守作業できることから、保守員の行動範囲が広がり、昇降路壁に設置された制御装置の保守も可能となる。
また、巻上機のシーブやモータ等をかご室の外のかご床上方に設置され、その保守をかご床上で行うことから、かご１１の上面での保守作業が不要となり、かご１１の上面に設けられていた手すりを取り外すことができ、エレベーターの頂部寸法を抑制することができる。
なお、図６では１：１ローピング構成の機械室レスエレベーターを例示したが、２：１ローピング構成の機械室レスエレベーターを用いても同様の効果が得られる。
以上のように、この発明に係る機械室レスエレベーターは、壁に開口部を有するかごと、かごと釣り合い錘とがそれぞれ異なる端に固定されたワイヤーロープが巻き掛けられるシーブ、及びシーブを駆動させるモータを有する巻上機とを備え、かごが昇降路の頂部にある時、シーブがかごと昇降路壁との間に設けられ、かご内から開口部を介してシーブが点検できるものであるため、かご上に登って点検を行う必要がなくなり、かご上に設けられていた手すりを取り外すことができ、エレベーターの頂部寸法を抑制することができ、エレベーターの設置スペースを小さくすることや、建物スペースを有効に活用することができる。
また、この発明に係る機械室レスエレベーターは、壁に開口部を有するかごと、昇降路内でその両端が固定され、かご及び釣り合い錘に設けられたプーリに巻き掛けられるワイヤーロープと、両プーリの間でワイヤーロープが巻き掛けられるシーブ、及びシーブを駆動させるモータを有する巻上機とを備え、かごが昇降路の頂部にある時、シーブがかごと昇降路壁との間に設けられ、かご内から開口部を介してシーブが点検できるものであるため、かご上に登って点検を行う必要がなくなり、かご上に設けられていた手すりを取り外すことができ、エレベーターの頂部寸法を抑制することができ、エレベーターの設置スペースを小さくすることや、建物スペースを有効に活用することができる。
さらに、この発明に係る機械室レスエレベーターは、壁に開口部を有するかごと、かごと釣り合い錘とがそれぞれ異なる端に固定されたワイヤーロープが巻き掛けられるシーブ、及びシーブを駆動させるモータを有する巻上機とを備え、かごが昇降路の頂部にある時、巻上機がかごと昇降路壁との間に設けられ、かごの床はかごの外で巻上機側に延長され、開口部を介した床で巻上機が点検できるものであるため、かご上に登って点検を行う必要がなくなり、かご上に設けられていた手すりを取り外すことができ、エレベーターの頂部寸法を抑制することができ、エレベーターの設置スペースを小さくすることや、建物スペースを有効に活用することができる。
産業上の利用可能性
以上のように、この発明に係る機械室レスエレベーターは、壁に開口部を有するかごと、かごと釣り合い錘とがそれぞれ異なる端に固定されたワイヤーロープが巻き掛けられるシーブ、及びシーブを駆動させるモータを有する巻上機とを備え、かごが昇降路の頂部にある時、シーブがかごと昇降路壁との間に設けられ、かご内から開口部を介してシーブが点検できるものであるため、かご上に登って点検を行う必要がなくなり、かご上に設けられていた手すりを取り外すことができ、エレベーターの頂部寸法を抑制することができ、エレベーターの設置スペースを小さくすることや、建物スペースを有効に活用することができる。
【図面の簡単な説明】
図１は、本発明の実施例１の機械室レスエレベーターの断面を示す断面図である。
図２は、図１に示す機械室レスエレベーターのＩＩ−ＩＩ断面図である。
図３は、図１に示す機械室レスエレベーターのＩＩＩ−ＩＩＩ断面図である。
図４は、本発明の実施例２の機械室レスエレベーターの断面を示す断面図である。
図５は、図４に示す機械室レスエレベーターのＶ−Ｖ断面図である。
図６は、本発明の実施例３の機械室レスエレベーターの断面を示す断面図である。
図７は、図６に示す機械室レスエレベーターのＶＩＩ−ＶＩＩ断面図である。
【図１】
0004963153.tif 000002
【図２】
0004963153.tif 000003
【図３】
0004963153.tif 000004
【図４】
0004963153.tif 000005
【図５】
0004963153.tif 000006
【図６】
0004963153.tif 000007
【図７】
0004963153.tif 000008